(57)【要約】【課題】ペットボトルのラベルは、自治体によって分別の決まりがあり、ラベルを剥がしリサイクルに廻していた。しかし、お洒落爪の女性やシニアの人達にとってラベルを剥がす作業は、困難で煩わしさを感じ苦痛である。力のなくなった人でもラベルを切断できるラベル剥がしを提供する。【解決手段】金属の素材で細長の構造にして、本体雄ネジから「Ｕ字型」中栓抜き部の先端まで合成樹脂で被い、「Ｕ字型」中栓抜き部は、中栓を抜き取るため細い形状にした。   ラベルを切断する「しの字型部」は、どんなに狭い箇所にも入れられるように細い金属の、ラベルを切断する刃の部分を設けた。瓶の中栓抜き付きペットボトルのラベル剥がし具本体の、雄ネジとキャップのキャップ雌ネジと合体させて、細い金属、刃の部分で怪我をしないように一体化して保管出来るようにした事を特徴とする。【選択図】図４
2018196650.tif 000002
【特許請求の範囲】
【請求項１】
金属製の素材で細長の構造にして、本体雄ネジ（６）から「Ｕ字型」中栓抜き部（４）の先端まで合成樹脂で被い、「Ｕ字型」中栓抜き部（４）は、中栓を抜き取るため細い形状にして、ラベル（９）を切断する細い金属製の本体（１０）と「しの字型部」（２）は、細い丸棒を加工したものであり、どんなに狭い箇所にも入れられるように細い金属にして、ラベルを切断する刃の部分（３）を設け、ラベル剥がし具本体（１）の、雄ネジ（６）とキャップ雌ネジ（８）と合体させて、「しの字型部」（２）の先端で怪我をしないように一体化して保管出来るようにした事を特徴とする瓶の中栓抜き付きペットボトルのラベル剥がし具。
【請求項２】
細い金属製の本体（１０）と「しの字型部」（２）は、丸棒を加工したものであり、その形状を、正面から見て、太く平面から見て薄い、平たい形状にする事が出来る、請求項１記載の瓶の中栓抜き付きペットボトルのラベル剥がし具。
【発明の詳細な説明】
【技術分野】
【０００１】
本発明は、ペットボトルのラベルを容易に剥がし又、ドレッシングやオリーブ油等の中栓
抜きも出来るラベル剥がし具に関する。
【背景技術】
【０００２】
ペットボトルのラベルは、筒状シールを熱で収縮して被せる方法や帯状ラベルをペットボトルに巻き付け接着する等の製造過程で、ラベルを付けているが、いざラベルを剥がすには、ミシン目入りの場合指先を使ってラベル先端を起こし剥がしていた。
しかし、ミシン目なしは、ラベルがペットボトルに密着した状態で剥がし辛く、従来ハサミや、カッターナイフで剥がしていたのが実情である。
先行文献１、特開２０００−１２７０８３号公報（ペットボトルはがし装置）
先行文献２、特開平９−２９５６３０号公報（見出しラベル貼着器）に開示されている。
【先行技術文献】
【特許文献】
【０００３】
【特許文献１】特開２０００−１２７０８３号公報
【特許文献２】特開平９−２９５６３０号公報
【発明の概要】
【発明が解決しようとする課題】
【０００４】
従来、ペットボトルのラベルは、自治体によって分別の決まりがあり、ラベルを剥がしてリサイクルに廻していた。
しかし、お洒落爪の女性やシニアの人達にとってラベルを剥がす作業は、困難で煩わしさを感じ苦痛である。これらの問題は解決しなければならない課題である。
【課題を解決するための手段】
【０００５】
課題を解決する手段として本発明は、以下の構成とした。
金属製の素材で細長の構造にして、本体雄ネジ（６）から「Ｕ字型」中栓抜き部（４）の先端まで合成樹脂で被い「Ｕ字型」中栓抜き部（４）は、中栓を抜き取るため細い形状にした。
【０００６】
ラベル（９）を切断する「しの字型部」（２）は、どんなに狭い箇所にも入れられるように細い金属にして、ラベルを切断する刃の部分（３）を設けた。
細い金属製の本体（１０）と「しの字型部」（２）は、細い丸棒を加工したものである。
【０００７】
瓶の中栓抜き付きペットボトルのラベル剥がし具本体（１）の、雄ネジ（６）とキャップ雌ネジ（８）と合体させて、細い金属、「しの字型部」（２）の先端で怪我をしないように一体化して保管出来るようにした。
【発明の効果】
【０００８】
本発明は下記の効果を有する。
１．お洒落爪の女性が使用しても簡単にラベルを剥がし、中栓も外す事が出来る。
２．シニアの人達も握力が弱くてもスムーズにラベルを剥がし、中栓も外す事が出来る。
【図面の簡単な説明】
【０００９】
【図１】瓶の中栓抜き付きペットボトルのラベル剥がし具正面図
【図２】キャップ正面図
【図３】ラベル剥がし使用説明図
【図４】中栓外し使用説明図
【図５】瓶の中栓抜き付きペットボトルのラベル剥がし具にキャップを取り付けた正面図
【発明を実施するための形態】
【００１０】
金属製の素材で細長の構造にして、本体雄ネジ（６）から「Ｕ字型」中栓抜き部（４）の先端まで合成樹脂で被い「Ｕ字型」中栓抜き部（４）は、中栓を抜き取るため細い形状にして、力がなくても、Ｕ字型中栓抜き部（４）を使用して、瓶の中栓（５−１）を抜き取る事が出来るようにした。
【００１１】
ラベル（９）を切断する「しの字型部」（２）は、どんなに狭い箇所にも入れられるように細い金属にして、ラベルを切断する刃の部分（３）を設けた。
力がなくても、視力が弱くてもラベル（９）を切断し、また瓶の中栓（５−１）を抜き取る事が出来るようにした。
【００１２】
瓶の中栓抜き付きペットボトルのラベル剥がし具本体（１）の、雄ネジ（６）とキャップ（７）のキャップ雌ネジ（８）と合体させて、細い金属、刃の部分（３）で怪我をしないように一体化して保管出来るようにした。
小さくて、細い、刃のついたものは、知らずに足で踏んだり、間違って「しの字型部」（２）を、握ってしまう事も有りうるため保管状態が重要である。
【００１３】
細い金属製の本体（１０）と、「しの字型部」（２）は、細い丸棒を加工したものである。
正面から見て、太く平面から見て薄い、平たい形状にする事が出来る。
【符号の説明】
【００１４】
１）    瓶の中栓抜き付きペットボトルのラベル剥がし具本体
２）    しの字型部
３）    刃の部分
４）    Ｕ字型中栓抜き部
５）    ビン
５−１）ビンの中栓
６）    本体雄ネジ
７）    キャップ
８）    キャップ雌ネジ
９）    ラベル
１０）  細い金属製の本体
【図１】
2018196650.tif 000003
【図２】
2018196650.tif 000004
【図３】
2018196650.tif 000005
【図４】
2018196650.tif 000006
【図５】
2018196650.tif 000007
【手続補正書】
【提出日】平成29年8月4日(2017.8.4)
【手続補正１】
【補正対象書類名】特許請求の範囲
【補正対象項目名】全文
【補正方法】変更
【補正の内容】
【特許請求の範囲】
【請求項１】
金属製の素材で細長の構造にして、本体雄ネジ（６）から「Ｕ字型」中栓抜き部（４）
の先端まで合成樹脂で被い、一方の先端にラベルを切断する「しの字型部」（２）の
剥がし具と、他方の先端に「Ｕ字型」中栓抜き部（４）を有し、「Ｕ字型」中栓抜き（４）は、中栓を抜き取るため細い形状にして、ラベル（９）を切断する細い金属製の本体（１０）と「しの字型部」（２）は、細い丸棒を加工したものであり、どんなに狭い箇所にも入れられるように細い金属にして、ラベルを切断する刃の部分（３）を設け、ラベル剥がし具本体（１）の、雄ネジ（６）とキャップ雌ネジ（８）と合体させて、「しの字型部」（２）の先端で怪我をしないように一体化して保管出来るようにした事を特徴とする瓶の中栓抜き付きペットボトルのラベル剥がし具。
【請求項２】
細い金属製の本体（１０）と「しの字型部」（２）は、丸棒を加工したものであり、その形状を、正面から見て、太く平面から見て薄い、平たい形状にする事が出来る、請求項１記載の瓶の中栓抜き付きペットボトルのラベル剥がし具。
【手続補正２】
【補正対象書類名】明細書
【補正対象項目名】０００５
【補正方法】変更
【補正の内容】
【０００５】
課題を解決する手段として本発明は、以下の構成とした。
金属製の素材で細長の構造にして、本体雄ネジ（６）から「Ｕ字型」中栓抜き部（４）の先端まで合成樹脂で被い「Ｕ字型」中栓抜き部（４）は、中栓を抜き取るため細い形状にした。
図１、図３、図４の記載は一方の先端にラベルを切断する「しの字型部」（２）の剥がし具と他方の先端に「Ｕ字型」中栓抜き部（４）を有している。